(57)【要約】【課題】映像機器に必要な動作電力を電力線を別配線することなく供給でき、且つ、他の機器に電力を供給するための電力線の長さを短くできるＤＣ重畳同軸システムを提供する。【解決手段】映像信号を受信するＴＶアンテナ２と、該ＴＶアンテナ２に同軸ケーブル９を介して接続され、同軸ケーブル９を介して入力された映像信号を映像機器に出力する同軸コンセント５と、協調制御部１３から電力線１４を介して供給されるＤＣ電力を映像信号に重畳させるＤＣ電力重畳部３４とを備え、同軸コンセント５は、映像機器に対してＤＣ電力が重畳された映像信号を出力する。【選択図】図１
2010081144.tif 000002
【特許請求の範囲】
【請求項１】
映像信号を受信するＴＶアンテナと、該ＴＶアンテナに同軸ケーブルを介して接続され、前記同軸ケーブルを介して入力された映像信号を映像機器に出力する同軸コンセントと、直流電源から電力線を介して供給されるＤＣ電力を映像信号に重畳させるＤＣ電力重畳部とを備え、前記同軸コンセントは、ＤＣ電力が重畳された映像信号を供給することを特徴とするＤＣ重畳同軸システム。
【請求項２】
前記映像信号を複数の同軸コンセントに分配するための分配器を備え、前記ＤＣ電力重畳部は該分配器に設けられ、該分配器により分配される映像信号の少なくとも１つにＤＣ電力を重畳させることを特徴とする請求項１記載のＤＣ重畳同軸システム。
【請求項３】
前記分配器により分配される複数の映像信号の中から、ＤＣ電力を重畳させる映像信号を選択するための選択手段を前記分配器に設けたことを特徴とする請求項２記載のＤＣ重畳同軸システム。
【請求項４】
前記映像信号を増幅させるためのブースターを備え、前記ＤＣ電力重畳部は該ブースターに設けられ、該ブースターから出力される映像信号にＤＣ電力を重畳させることを特徴とする請求項１記載のＤＣ重畳同軸システム。
【請求項５】
前記ＤＣ電力重畳部は前記同軸コンセントに設けられ、該同軸コンセントに伝送される映像信号にＤＣ電力を重畳させることを特徴とする請求項１記載のＤＣ重畳同軸システム。
【請求項６】
前記直流電源は、商用交流電源から供給される交流電力を直流電力に変換する交流直流変換部と、商用交流電源の停電時に直流電力を供給するバックアップ電源部とを備えたことを特徴とする請求項１〜５の何れか１項に記載のＤＣ重畳同軸システム。
【発明の詳細な説明】
【技術分野】
【０００１】
本発明は、同軸ケーブルを介して伝送される映像信号にＤＣ電力を重畳させたＤＣ重畳同軸システムに関するものである。
【背景技術】
【０００２】
ＴＶアンテナを介して受信した映像信号を複数の同軸コンセントに分配するための分配器が従来から提供されており（例えば特許文献１参照）、この分配器を介して分配された複数の映像信号は、建物内に設置された複数の同軸コンセントにそれぞれ同軸ケーブルを介して供給される。そして、テレビなどの映像機器側に設けた同軸コネクタを同軸コンセントに接続することで、映像信号が映像機器に供給されるようになっている。
【特許文献１】特開２００１−４４７８１号公報（段落［００１５］−段落［００１９］、及び、第１図）
【発明の開示】
【発明が解決しようとする課題】
【０００３】
しかしながら、上述の特許文献１に示した分配器からは映像信号のみが供給され、映像機器を動作させるためには別途動作電力を供給する必要があり、そのため同軸ケーブルとは別に電力線を配線する必要があった。また、テレビと同じ室内に設置される他の家電機器に電源を供給するためには、宅内に設置された分電盤から上記室内まで電力線を配線する必要があり、その結果電力線が長くなっていた。
【０００４】
本発明は上記問題点に鑑みて為されたものであり、その目的とするところは、映像機器に必要な動作電力を電力線を別配線することなく供給でき、且つ、他の機器に電力を供給するための電力線の長さを短くできるＤＣ重畳同軸システムを提供することにある。
【課題を解決するための手段】
【０００５】
請求項１の発明は、映像信号を受信するＴＶアンテナと、該ＴＶアンテナに同軸ケーブルを介して接続され、同軸ケーブルを介して入力された映像信号を映像機器に出力する同軸コンセントと、直流電源から電力線を介して供給されるＤＣ電力を映像信号に重畳させるＤＣ電力重畳部とを備え、同軸コンセントは、ＤＣ電力が重畳された映像信号を供給することを特徴とする。
【０００６】
請求項２の発明は、映像信号を複数の同軸コンセントに分配するための分配器を備え、ＤＣ電力重畳部は該分配器に設けられ、該分配器により分配される映像信号の少なくとも１つにＤＣ電力を重畳させることを特徴とする。
【０００７】
請求項３の発明は、分配器により分配される複数の映像信号の中から、ＤＣ電力を重畳させる映像信号を選択するための選択手段を分配器に設けたことを特徴とする。
【０００８】
請求項４の発明は、映像信号を増幅させるためのブースターを備え、ＤＣ電力重畳部は該ブースターに設けられ、該ブースターから出力される映像信号にＤＣ電力を重畳させることを特徴とする。
【０００９】
請求項５の発明は、ＤＣ電力重畳部は同軸コンセントに設けられ、該同軸コンセントに伝送される映像信号にＤＣ電力を重畳させることを特徴とする。
【００１０】
請求項６の発明は、直流電源は、商用交流電源から供給される交流電力を直流電力に変換する交流直流変換部と、商用交流電源の停電時に直流電力を供給するバックアップ電源部とを備えたことを特徴とする。
【発明の効果】
【００１１】
請求項１の発明によれば、同軸ケーブルを介して伝送される映像信号にＤＣ電力を重畳させているので、上記同軸ケーブルが接続された同軸コンセントに、映像機器側に設けた同軸コネクタを接続するだけで映像信号とともに動作電力を供給することができ、電力を供給するための別配線が不要になる。また、同軸コンセントからＤＣ電力を分離して取り出すことで、他の機器にＤＣ電力を供給することもでき、さらにこの場合分電盤から同軸コンセントまで電力線を配線する必要がなくなるので、電力線の配線長を短くすることができるという効果がある。
【００１２】
請求項２の発明によれば、分配器から分配される映像信号にＤＣ電力を一括重畳させることができるので、各同軸コンセント毎にＤＣ電力重畳部を設けなくてもよく、その結果コストアップを抑えつつ施工が容易なＤＣ重畳同軸システムを提供することができるという効果がある。
【００１３】
請求項３の発明によれば、分配される各映像信号毎にＤＣ電力を重畳させるか否かを選択することができるので、ＤＣ重畳に対応した映像機器およびＤＣ重畳に未対応の映像機器の両方に対応可能なＤＣ重畳同軸システムを提供することができるという効果がある。
【００１４】
請求項４の発明によれば、複数の同軸コンセントにＤＣ電力を一括重畳させることができるので、各同軸コンセント毎にＤＣ電力重畳部を設けなくてもよく、その結果コストアップを抑えつつ施工が容易なＤＣ重畳同軸システムを提供することができる。また同時に、ブースターに供給されるＤＣ電力から該ブースターの動作電源を確保することもできるという効果がある。
【００１５】
請求項５の発明によれば、一部の同軸コンセントにのみＤＣ重畳させることができるので、ＤＣ電源およびＡＣ電源を混在させた電源システムを容易に構築することができるという効果がある。
【００１６】
請求項６の発明によれば、商用交流電源から生成されるＤＣ電力が停電により遮断された場合でも、バックアップ電源部により引き続きＤＣ電力が供給されるので、停電により映像機器や他の機器の電源が切れるのを防止できるという効果がある。
【発明を実施するための最良の形態】
【００１７】
以下に本発明に係るＤＣ重畳同軸システムの実施形態を図面に基づいて説明する。本発明に係るＤＣ重畳同軸システムは、直流電源から電力線を介して供給されるＤＣ電力を、ＴＶアンテナを介して受信した映像信号に重畳させることで、同軸コンセントから映像信号とともにＤＣ電力を取り出すことができる同軸システムである。
【００１８】
（実施形態１）
図１（ａ）は実施形態１のＤＣ重畳同軸システムの概略ブロック図を示し、宅内に設置される分電盤１と、例えばテレビ局から送信される電波を受信するためのＴＶアンテナ２と、ＴＶアンテナ２で受信した映像信号を増幅するブースター３と、映像機器からの同軸ケーブルが挿抜自在に接続され、映像機器に映像信号を出力する複数（図１（ａ）では３個）の同軸コンセント５と、ブースター３から出力される映像信号を複数の同軸コンセント５に分配する分配器４とを備えている。
【００１９】
分電盤１は、一次側に商用交流電源ＡＣが接続される主幹ブレーカ１０と、主幹ブレーカ１０の二次側に接続される複数（本実施形態では２個）の分岐ブレーカ１１，１１と、一方の分岐ブレーカ１１を介して供給される商用交流電源ＡＣを所定の電圧値のＤＣ電力に変換するＡＣ−ＤＣコンバータ１２と、ＡＣ−ＤＣコンバータ１２から出力されるＤＣ電力と太陽電池６，二次電池７または燃料電池８から出力されるＤＣ電力とを協調させる協調制御部１３とで構成されており、商用交流電源ＡＣが供給されている期間（非停電期間）ではＡＣ−ＤＣコンバータ１２から出力されるＤＣ電力が電力線１４を介して宅内に供給される。一方、停電期間では、上述した太陽電池６，二次電池７または燃料電池８の何れかからＤＣ電力が供給されることになる。ここに、協調制御部１３により直流電源が構成され、ＡＣ−ＤＣコンバータ１２により交流直流変換部が構成され、さらに太陽電池６，二次電池７または燃料電池８によりバックアップ電源部が構成されている。
【００２０】
ここで、本実施形態のＤＣ重畳同軸システムでは、電力線１４を介して協調制御部１３
から宅内に供給されるＤＣ電力を、映像信号に重畳するためのＤＣ電力重畳部をブースター３に設けている。
【００２１】
ブースター３は、図１（ｂ）に示すように、協調制御部１３から電力線１４を介して入力されるＤＣ電力を所定の電圧値のＤＣ電力に変換するＤＣ−ＤＣコンバータ３０と、ＤＣ−ＤＣコンバータ３０で生成されるＤＣ電力をＴＶアンテナ２に出力するＤＣ電源出力部３１と、ＴＶアンテナ２を介して受信した映像信号が入力される映像信号入力部３３と、入力された映像信号を増幅する増幅部３２と、増幅部３２で増幅した映像信号に協調制御部１３から入力されたＤＣ電力を重畳させるＤＣ電力重畳部３４と、ＤＣ電力を重畳させた映像信号を同軸ケーブル９に出力する映像信号出力部３５とで構成される。ＤＣ電源出力部３１は、例えば接続されるＴＶアンテナ２がバラボラアンテナの場合に用いられ、アンテナの受信部にあるコンバータを動作させるためのＤＣ電力を供給する。なお、増幅部３２は、ＤＣ−ＤＣコンバータ３０で生成されるＤＣ電力により動作する。
【００２２】
ここで、本実施形態のＤＣ重畳同軸システムの動作について説明する。ＴＶアンテナ２で受信した映像信号は、同軸ケーブル９を介してブースター３の映像信号入力部３３に入力される。映像信号入力部３３に入力された映像信号は増幅部３２により増幅され、ＤＣ電力重畳部３４に入力される。その後、ＤＣ電力重畳部３４では上記映像信号にＤＣ電力が重畳され、ＤＣ電力が重畳された映像信号が映像信号出力部３５から同軸ケーブル９に出力される。すなわち、本実施形態によれば、上記ＤＣ電力は同軸ケーブル９に重畳されることになる。そして、同軸ケーブル９を介してブースター３から出力された映像信号が分配器４に入力されると、分配器４において複数の同軸コンセント５に映像信号が分配される。なおこのとき、映像信号に重畳された上記ＤＣ電力は、同軸コンセント５を構成する外側導体と内側導体（ともに図示せず）の間に電位差が生じる形で供給される。
【００２３】
而して、本実施形態によれば、同軸ケーブル９を介して伝送される映像信号にＤＣ電力を重畳させているので、上記同軸ケーブル９が接続された同軸コンセント５に、映像機器からの同軸ケーブルに設けた同軸コネクタを接続するだけで映像信号とともに動作電力を供給することができ、電力を供給するための別配線が不要になる。
【００２４】
また、本実施形態によれば、ＤＣ電力重畳部３４をブースター３に設けることで、分配器４に接続された複数の同軸コンセント５にＤＣ電力を一括重畳させることができるので、各同軸コンセント５毎にＤＣ電力重畳部を設けなくてもよく、その結果コストアップを抑えつつ施工が容易なＤＣ重畳同軸システムを提供することができる。また同時に、ブースター３に供給されるＤＣ電力から該ブースター３の動作電源を確保することもできる。
【００２５】
さらに、本実施形態では、ＤＣ電力の供給源として太陽電池６，二次電池７および燃料電池８を設けており、停電時には何れかの電池からＤＣ電力が供給されるようになっているので、例えば商用交流電源ＡＣから生成されるＤＣ電力が停電により遮断された場合でも、バックアップ電源部（太陽電池６，二次電池７または燃料電池８）により引き続きＤＣ電力を供給することができ、停電により映像機器や他の機器の電源が切れるのを防止できる。
【００２６】
ここにおいて、図２は本実施形態のＤＣ重畳同軸システムの別の例を示しており、本例では同軸コンセント５に伝送された映像信号からＤＣ電力を分離させるＤＣ分離アダプタ１５を設けている。このＤＣ分離アダプタ１５は、図２に示すように同軸ケーブル９を介して同軸コンセント５に接続されるとともに、同じく同軸ケーブル９を介してテレビなどの映像機器１８に接続され、さらに電力線１６を介してＤＣ電源機器１７に接続されている。なお、それ以外の構成は図１に示すＤＣ重畳同軸システムと同様であり、説明は省略する。
【００２７】
そして、ＤＣ電力が重畳された映像信号が、同軸ケーブル９を介して同軸コネクタ５からＤＣ分離アダプタ１５に伝送されると、ＤＣ分離アダプタ１５では映像信号からＤＣ電力が分離される。ＤＣ電力が分離された映像信号は同軸ケーブル９を介して映像機器１８に伝送され、分離されたＤＣ電力は電力線１６を介してＤＣ電源機器１７に供給される。
【００２８】
而して、本例によれば、同軸コンセント５からＤＣ電力を分離して取り出すことで、ＤＣ電源機器（他の機器）１７にＤＣ電力を供給することもでき、さらにこの場合分電盤１から同軸コンセント５まで電力線１４を配線する必要がなくなるので、電力線の配線長を短くすることができる。
【００２９】
なお、本実施形態では、ブースター３と分配器４とを別体に設けているが、例えば分配器にブースター機能を一体に設けたものであってもよい。また、本実施形態では、すべての同軸コンセント５が供給する映像信号にＤＣ電力を重畳させているが、少なくとも１つの同軸コンセント５にＤＣ電力が重畳されていればよい。さらに、本実施形態では、同軸コンセント５を３個設けた場合について説明したが、本システムに接続される同軸コネクタ５の個数は本実施形態に限定されるものではなく、例えば１，２個や４個以上であってもよい。なお、同軸コネクタ５が１個の場合には上述した分配器４は不要になり、同軸コネクタ５が２個や４個以上の場合には個数に合わせた分配器４を用いればよい。
【００３０】
また、本実施形態では、ブースター３の動作電力を、電力線１４を介して協調制御部１３から供給されるＤＣ電力により生成しているが、例えば図１（ａ）中の破線ａのように分岐ブレーカ１１から供給される商用交流電源ＡＣをブースター３に入力し、ブースター３に設けたＡＣ−ＤＣコンバータにより動作電力を生成するように構成してもよい。
【００３１】
さらに、図２に示す例では、ＤＣ分離アダプタ１５から映像機器１８に映像信号のみを出力するように構成しているが、例えばＤＣ電力を重畳させた映像信号を映像機器１８に出力し、且つ、ＤＣ電力をＤＣ電源機器１７に供給するように構成してもよい。
【００３２】
（実施形態２）
本発明に係るＤＣ重畳同軸システムの実施形態２を図３に基づいて説明する。実施形態１では、ＴＶアンテナ２で受信した映像信号を増幅するブースター３にＤＣ電力重畳部３４を設けているが、本実施形態では受信した映像信号を複数の映像信号に分配する分配器４にＤＣ電力重畳部４３を設けている。なお、それ以外の構成は実施形態１と同様であり、同一の構成要素には同一の符号を付して説明は省略する。
【００３３】
本実施形態のＤＣ重畳同軸システムは、実施形態１と同様に分電盤１と、ＴＶアンテナ２と、ブースター３と、分配器４と、複数の同軸コンセント５とを備えている。
【００３４】
本実施形態の分配器４は、図３に示すように、ブースター３で増幅された映像が入力される映像信号入力部４１と、入力された映像信号を複数の映像信号に分配する分配回路４０と、分配回路４０により分配された複数の映像信号に対してＤＣ電力を重畳させるＤＣ電力重畳部４３と、上記複数の映像信号の中からＤＣ電力を重畳させる映像信号を選択するＤＣ重畳選択部４４と、映像信号を同軸ケーブル９を介して同軸コンセント５に出力する映像信号出力部４２とで構成されている。なお、上記ＤＣ重畳選択部４４は、例えば図示しない複数個のスイッチで構成され、該複数個のスイッチをそれぞれオン／オフさせることで各映像信号毎にＤＣ電力を重畳させるか否かを選択できるようになっており、本実施形態ではＤＣ重畳選択部４４により選択手段を構成している。また、本実施形態の分配器４には、図１（ａ）中の破線ｂに示すように、協調制御部１３から電力線１４を介してＤＣ電力が入力されるようになっており、入力されたＤＣ電力は分配器４で分配される各映像信号にそれぞれ重畳される。
【００３５】
ここで、本実施形態のＤＣ重畳同軸システムの動作について説明する。ＴＶアンテナ２で受信した映像信号は、ブースター３で増幅された後、同軸ケーブル９を介して分配器４の映像信号入力部４１に入力される。映像信号入力部４１に入力された映像信号は、分配回路４０により複数の映像信号に分配された後、ＤＣ電力重畳部４３に入力される。ＤＣ電力重畳部４３では、入力された複数の映像信号のうち、ＤＣ重畳選択部４４で選択した映像信号に電力線１４を介して供給されたＤＣ電力が重畳される。そして、ＤＣ電力重畳部４３から出力された上記複数の映像信号は、同軸ケーブル９を介して映像信号出力部４２からそれぞれ同軸コンセント５に出力される。すなわち、本実施形態によれば、上記ＤＣ電力は同軸ケーブル９に重畳されることになる。
【００３６】
而して、本実施形態によれば、分配器４から分配される映像信号にＤＣ電力を一括重畳させることができるので、各同軸コンセント５毎にＤＣ電力重畳部を設けなくてもよく、その結果コストアップを抑えつつ施工が容易なＤＣ重畳同軸システムを提供することができる。また、本実施形態では、分配される各映像信号毎にＤＣ電力を重畳させるか否かを選択できるようにＤＣ重畳選択部（選択手段）４４を設けているので、各同軸コンセント５毎にＤＣ電力を重畳させるか否かを選択することで、ＤＣ重畳に対応した映像機器およびＤＣ重畳に未対応の映像機器の両方に対応可能なＤＣ重畳同軸システムを提供することができる。
【００３７】
なお、本実施形態では、選択手段として複数個のスイッチからなるＤＣ重畳選択部４４を設けているが、選択手段は本実施形態に限定されるものではなく、各映像信号毎にＤＣ電力を重畳させるか否かを選択できるようなものであればよい。
【００３８】
（実施形態３）
本発明に係るＤＣ重畳同軸システムの実施形態３を図４に基づいて説明する。実施形態１では、ＴＶアンテナ２で受信した映像信号を増幅するブースター３にＤＣ電力重畳部３４を設けているが、本実施形態ではテレビやＨＤＤレコーダなどの映像機器からの同軸ケーブルに設けられる同軸コネクタ（図示せず）が接続されるコンセント口を備えた同軸コンセント５にＤＣ電力重畳部５１を設けている。なお、それ以外の構成は実施形態１と同様であり、同一の構成要素には同一の符号を付して説明は省略する。
【００３９】
本実施形態のＤＣ重畳同軸システムは、実施形態１と同様に分電盤１と、ＴＶアンテナ２と、ブースター３と、分配器４と、複数の同軸コンセント５とを備えている。
【００４０】
同軸コンセント５は、同軸コネクタ（図示せず）が接続されるコンセント口を備え、図４に示すように分配器４から分配された映像信号が入力される映像信号入力部５０と、入力された映像信号にＤＣ電力を重畳させるＤＣ電力重畳部５１と、ＤＣ電力を重畳させた映像信号をコンセント口に供給する映像信号出力部５２とで構成されている。なお、本実施形態の各同軸コンセント５には、図１（ａ）中の破線ｃに示すように、それぞれ協調制御部１３から電力線１４を介してＤＣ電力が入力されるようになっており、入力されたＤＣ電力は映像信号出力部５２から出力される映像信号に重畳される。ここに、映像信号出力部５２により外側導体および内側導体からなる端子部が構成されている。
【００４１】
ここで、本実施形態のＤＣ重畳同軸システムの動作について説明する。ＴＶアンテナ２で受信した映像信号は、ブースター３で増幅された後、分配器４により複数の映像信号に分配されて各同軸コンセント５の映像信号入力部５０にそれぞれ入力される。映像信号入力部５０に入力された映像信号は、ＤＣ電力重畳部５１において電力線１４を介して供給されたＤＣ電力が重畳され、ＤＣ電力が重畳された映像信号は映像信号出力部５２から出力される。すなわち、本実施形態によれば、上記ＤＣ電力は映像信号出力部５２（端子部）に重畳されることになる。
【００４２】
而して、本実施形態によれば、一部の同軸コンセント５にのみＤＣ重畳させることができるので、ＤＣ電源およびＡＣ電源を混在させた電源システムを容易に構築することができる。
【図面の簡単な説明】
【００４３】
【図１】（ａ）は実施形態１のＤＣ重畳同軸システムの概略ブロック図、（ｂ）は同上に用いられるブースターの概略ブロック図である。
【図２】同上の別の例を示す概略ブロック図である。
【図３】実施形態２のＤＣ重畳同軸システムに用いられる分配器の概略ブロック図である。
【図４】実施形態３のＤＣ重畳同軸システムに用いられる同軸コンセントの概略ブロック図である。
【符号の説明】
【００４４】
２  ＴＶアンテナ
５  同軸コンセント
９  同軸ケーブル
１３  協調制御部（直流電源）
１４  電力線
３４  ＤＣ電力重畳部
【図１】
2010081144.tif 000003
【図２】
2010081144.tif 000004
【図３】
2010081144.tif 000005
【図４】
2010081144.tif 000006